(57)【特許請求の範囲】
【請求項１】
造営材に固定される器具本体と、
前記器具本体に収容される電源部および光源部と、
前記光源部を覆う透光性カバーと、
前記器具本体の長手方向端部および前記透光性カバーの長手方向端部をそれぞれ覆う端部カバーとを備え、
前記透光性カバーは、略Ｕ字状の断面形状が連続する本体部と、前記本体部における断面形状両端部に設けられ、前記器具本体に係合する一対の爪部とを有し、長手方向端面が前記器具本体に設けられたストッパに当接する照明器具。
【請求項２】
請求項１に記載の照明器具において、
前記光源部は、前記器具本体に支持されるＬＥＤ回路基板と、前記ＬＥＤ回路基板に実装されるＬＥＤパッケージと、前記ＬＥＤパッケージを覆うとともに前記ＬＥＤ回路基板に固定されるＬＥＤパッケージカバーとを有し、
前記ストッパは、前記ＬＥＤパッケージカバーに設けられている照明器具。
【発明の詳細な説明】
【技術分野】
【０００１】
本発明は、造営材に器具本体が固定され、器具本体に電源部および光源部が収容され、光源部が透光性カバーで覆われる照明器具に関する。
【背景技術】
【０００２】
主に台所のシンク上部に取り付けられる照明器具は、立壁に設けられた貫通孔から屋内配線（ＶＶＦ）が引き出され、貫通孔を覆うように立壁に固定される取付板と、取付板に固定された固定ボルトと、固定ボルトに支持される器具本体とを有する。さらに、照明器具は、器具本体に収容される電源部およびＬＥＤ（Light-emitting Diode）等の光源部と、光源部を覆う透光性カバーと、器具本体の長手方向両端部を覆う端部カバーとを有する（特許文献１）。
ＶＶＦとは、断面が豚の鼻のような（すなわち、数字の８のような）電線であり、断面長円形状で心線が並列に配置されるものをいう。
【先行技術文献】
【特許文献】
【０００３】
【特許文献１】特許第５５０３７８７号公報
【発明の概要】
【発明が解決しようとする課題】
【０００４】
ところで、透光性カバーとして、断面略コ字状の断面形状が連続する長尺部材として形成し、かつ、断面形状の両端部に爪部を形成するとともに、器具本体を係止部に設けておき、器具本体の正面から脱着可能とする形態が考えられる。
このような透光性カバーは、立壁に対して器具本体を水平に取り付けた場合や、あるいは下向き面に器具本体を取り付ける場合は問題が生じない。しかし、立壁に対して器具本体の長手方向を鉛直方向に沿って取り付ける場合には、端部カバーを取り付けるまで器具本体の係止部に爪部が案内されて器具本体から透光性カバーが脱落する虞がある。
【０００５】
本発明は、前述した課題を解決するためになされたものであり、その目的は、器具本体を鉛直方向に沿って配置しても器具本体に対して正面から着脱可能な透光性カバーが脱落しにくい照明器具を提供することにある。
【課題を解決するための手段】
【０００６】
本発明の照明器具は、造営材に固定される器具本体と、前記器具本体に収容される電源部および光源部と、前記光源部を覆う透光性カバーと、前記器具本体の長手方向端部および前記透光性カバーの長手方向端部をそれぞれ覆う端部カバーとを備え、前記透光性カバーは、略Ｕ字状の断面形状が連続する本体部と、前記本体部における断面形状両端部に設けられ、前記器具本体に係合する一対の爪部とを有し、長手方向端面が前記器具本体に設けられたストッパに当接する。
【発明の効果】
【０００７】
本発明の照明器具によれば、器具本体を鉛直方向に沿って配置しても器具本体に対して正面から着脱可能な透光性カバーが脱落しにくい照明器具を提供できる。
【図面の簡単な説明】
【０００８】
【図１】本発明に係る実施形態の照明器具を示す斜視図
【図２】図１のＩーＩ線断面図
【図３】図１の照明器具を器具本体側から見た状態を示す分解斜視図
【図４】図１の照明器具を透光性カバー側から見た状態を示す分解斜視図
【図５】図１の照明器具の一端部側を示す分解斜視図
【図６】図５のＩＩ部拡大図
【発明を実施するための形態】
【０００９】
以下、実施形態に係る照明器具について図面を参照して説明する。
（実施形態）
図１、図２に示すように、照明器具１０は、造営材１２に固定される器具本体２０と、器具本体２０に収容される電源部２２および光源部２４と、光源部２４を覆う透光性カバー２６とを備えている。また、照明器具１０は、器具本体２０および透光性カバー２６の両端部を覆う第１端部カバー２８および第２端部カバー２９を備えることが好ましい。
【００１０】
造営材１２は、下向きに形成された第１立壁１３と、第１立壁１３から下方に向けて延びる第２立壁１４とを備えている。第１立壁１３の貫通孔１５から配線１６が屋内に引き出される。造営材１２に、照明器具１０が器具本体２０の長手方向を縦向きに配置した状態において取り付けられる。
【００１１】
器具本体２０は、造営材１２の第１立壁１３に固定ビス３４で固定される第１ケース３１と、第１ケース３１に隣接して取り付けられ、電源部２２および光源部２４が設けられる第２ケース３２とを備えている。第２ケース３２も造営材１２の第２立壁１４に固定ビス３４で固定されている。
【００１２】
図３、図４に示すように、器具本体２０の第２ケース３２は、器具本体２０の第１長手方向端部２０Ａに設けられた第１係止部３５と、器具本体２０の第２長手方向端部２０Ｂに設けられた第２係止部３７を有する。
【００１３】
第１係止部３５に第１端部カバー２８の第１係止部６６が係止されることにより、器具本体２０の第１長手方向端部２０Ａおよび透光性カバー２６の第１長手方向端部２６Ａが第１端部カバー２８で覆われる。
同様に、第２係止部３７に第２端部カバー２９の第２係止部６９が係止されることにより、器具本体２０の第２長手方向端部２０Ｂおよび透光性カバー２６の第２長手方向端部２６Ｂが第２端部カバー２９で覆われている。
第２ケース３２の底部３２Ａにオン・オフスイッチ３８が設けられている。
【００１４】
図２、図３に示すように、第１ケース３１は、造営材１２の第１立壁１３に対面する第１側面４１と、造営材１２の第２立壁１４に対面する第２側面４２とを含む。第１側面４１および第２側面４２は器具本体２０において互いに隣り合うように配置されている。
また、第１ケース３１は、第１側面４１において第１立壁１３に接触可能な複数の凸部４３と、各凸部４３間に設けられた凹部４４と、凹部４４に設けられ、配線１６を器具本体２０の内部５１に引込可能な引き込み孔４５とを有する。
【００１５】
さらに、第１ケース３１は、各凸部４３間に設けられ、各凸部４３の突出方向と同じ方向に突出する第１外側ダボ４６および第２外側ダボ４７と、第２側面４２に第３外側ダボ４８および第４外側ダボ４９とを有する。
加えて、第１ケース３１は、一対の凸部４３間に設けられ、器具本体２０の内部５１に突出する第１内側ダボ５２および第２内側ダボ５３（図４も参照）を有する。
【００１６】
造営材１２の第１立壁１３に対面する第１側面４１の両側部に沿って一対の凸部４３が直線状に延ばされている。凸部４３は、第１側面４１の凹部４４から第１立壁１３に向けて突出され、第１立壁１３に接触可能な頂部４３Ａを有する。凸部４３は、突出寸法Ｌ１が配線１６の断面最大寸法（ＶＶＦの場合は長円寸法）以上に形成されている。
【００１７】
第１側面４１には一対の凸部４３間に凹部４４が設けられている。凹部４４は、第１立壁１３に対して接触することなく対面するとともに配線１６を収容可能に一対の凸部４３に対して窪むように形成されている。
凹部４４の長手方向略中央に引き込み孔４５が開口されている。凹部４４および第１立壁１３間の空間５５に収容された配線１６が引き込み孔４５から器具本体２０の内部５１に引き込まれる。引き込まれた配線１６が端子台１７に接続されている。
【００１８】
第１外側ダボ４６の挿通孔５７に固定ビス３４が挿通され、固定ビス３４が造営材１２の第１立壁１３に螺合されることにより、第１立壁１３に第１外側ダボ４６が固定される。また、第２外側ダボ４７の挿通孔５８（図１参照）に固定ビス３４が挿通され、固定ビス３４が造営材１２の第１立壁１３に螺合されることにより、第１立壁１３に第２外側ダボ４７が固定される。
【００１９】
第２側面４２の第３外側ダボ４８は、第１外側ダボ４６と類似形状に形成されているので詳しい説明を省略する。また、第２側面４２の第４外側ダボ４９は、第２外側ダボ４７と類似形状に形成されているので詳しい説明を省略する。
【００２０】
図２、図４に示すように、第１側面４１の凹部４４には第１内側ダボ５２および第２内側ダボ５３が設けられている。第１内側ダボ５２および第２内側ダボ５３が器具本体２０の内部５１に突出され、第１内側ダボ５２および第２内側ダボ５３で光源部２４が（具体的には、第２ケース３２）支持される。第２ケース３２に光源部２４のＬＥＤ回路基板２５が設けられている。
よって、ＬＥＤ回路基板２５を第１立壁１３から離した状態（すなわち、浮かせた状態）に支持できる。
【００２１】
図２に戻って、第２ケース３２の光源部２４が透光性カバー２６で覆われている。光源部２４は、第２ケース３２に支持されるＬＥＤ回路基板２５と、ＬＥＤ回路基板２５に実装されるＬＥＤパッケージ２１と、ＬＥＤパッケージ２１を覆うとともに第２ケース３２（器具本体２０）ＬＥＤ回路基板２５に固定されるＬＥＤパッケージカバー２３とを有する。
【００２２】
図４、図５に示すように、ＬＥＤパッケージカバー２３の第１長手方向端部２３Ａに一対の第１ストッパ７１がフラップ状に形成されている（張り出されている）。また、ＬＥＤパッケージカバー２３の第２長手方向端部２３Ｂに一対の第２ストッパ７２がフラップ状に形成されている（張り出されている）。
【００２３】
透光性カバー２６は、略Ｕ字状の断面形状が連続する本体部６１と、本体部６１における断面形状両端部に設けられた一対の爪部６２とを有する。一対の爪部６２が第２ケース３２のＬＥＤパッケージカバー２３（すなわち、器具本体２０）に係合することにより、透光性カバー２６が光源部２４を覆う位置に取り付けられる（図２も参照）。
具体的には、透光性カバー２６は、器具本体２０の長手方向に対して直交する方向（すなわち、矢印Ａ方向）に沿って一対の爪部６２が器具本体２０に係合されることにより、器具本体２０の正面から脱着可能に器具本体２０に確実に取り付けられる。
【００２４】
図６に示すように、透光性カバー２６が光源部２４を覆う位置に取り付けられた状態で、一対の爪部６２の第１長手方向端面６２Ａが一対の第１ストッパ７１に当接するように配置される。同様に、図４に示すように、一対の爪部６２の第２長手方向端面６２Ｂが一対の第１ストッパ７１に当接するように配置される。
【００２５】
よって、図６に示すように、照明器具１０が器具本体２０の長手方向を縦向きに配置され、透光性カバー２６が器具本体２０の正面から脱着可能に取り付けられた状態において、一対の爪部６２の第１長手方向端面６２Ａが一対の第１ストッパ７１に当接される。
よって、透光性カバー２６が一対の第１ストッパ７１で支えられる。これにより、透光性カバー２６が下方に移動することを一対の第１ストッパ７１で阻止でき、透光性カバー２６を脱落し難くできる。
【００２６】
また、ＬＥＤパッケージカバー２３に第１ストッパ７１や第２ストッパ７２を設けることにより、第１ストッパ７１や第２ストッパ７２を別途設ける必要がない。これにより、部品点数を増加させることなく第１ストッパ７１や第２ストッパ７２を設けることができ、照明器具１０の簡素化が図れる。
【００２７】
図４、図５に戻って、器具本体２０の第１長手方向端部２０Ａおよび透光性カバー２６の第１長手方向端部２６Ａが第１端部カバー２８で覆われている。第１端部カバー２８は、カバー本体６４と、カバー本体６４の両側部に設けられた一対の第１案内レール６５と、カバー本体６４の下端部に設けられた第１係止部６６とを有する。
【００２８】
一対の第１案内レール６５は、第１端部カバー２８が器具本体２０の第１長手方向端部２０Ａに対して直交する方向（矢印Ａ方向）に沿って案内可能に形成されている。また、第１係止部６６は、器具本体２０の第１係止部３５（図３参照）に係止可能に形成されている。
第１端部カバー２８が矢印Ａ方向に沿って案内され、第１係止部６６が器具本体２０の第１係止部３５に係止されることにより、第１端部カバー２８が器具本体２０の第１長手方向端部２０Ａに取り付けられる。
これにより、器具本体２０の第１長手方向端部２０Ａおよび透光性カバー２６の第１長手方向端部２６Ａが第１端部カバー２８のカバー本体６４で覆われる。
【００２９】
また、器具本体２０の第２長手方向端部２０Ｂおよび透光性カバー２６の第２長手方向端部２６Ｂが第２端部カバー２９で覆われている。第２端部カバー２９は、カバー本体６７と、カバー本体６７の両側部に設けられた一対の第２案内レール６８と、カバー本体６７の下端部に設けられた第２係止部６９とを有する。
第２端部カバー２９は、第１端部カバー２８と同様に、器具本体２０の第２長手方向端部２０Ｂに取り付けられる。これにより、器具本体２０の第２長手方向端部２０Ｂおよび透光性カバー２６の第２長手方向端部２６Ｂが第２端部カバー２９のカバー本体６７で覆われる。
【００３０】
このように、透光性カバー２６を矢印Ａ方向に沿って器具本体２０に取り付け、第１端部カバー２８および第２端部カバー２９を矢印Ａ方向（図５参照）に沿って取り付けることができる。
これにより、器具本体２０の長手方向両端部側に別の立壁や棚等の造作物が配置されていても、器具本体２０に透光性カバー２６、第１端部カバー２８および第２端部カバー２９を取り付けることができ、照明器具１０の設置に支障が生じない。
【００３１】
以上説明したように、照明器具１０は、造営材１２に固定される器具本体２０と、器具本体２０に収容される電源部２２および光源部２４と、光源部２４を覆う透光性カバー２６と、器具本体２０の第１長手方向端部２０Ａ、第２長手方向端部２０Ｂおよび透光性カバー２６の第１長手方向端部２６Ａ、第２長手方向端部２６Ｂをそれぞれ覆う第１端部カバー２８、第２端部カバー２９とを備えている。
また、透光性カバー２６は、略Ｕ字状の断面形状が連続する本体部６１と、本体部６１における断面形状両端部に設けられ、器具本体２０に係合する一対の爪部６２とを有し、第１長手方向端面６２Ａ、第２長手方向端面６２Ｂが器具本体２０に設けられた第１ストッパ７１、第２ストッパ７２に当接する。
【００３２】
好ましくは、光源部２４は、器具本体２０に支持されるＬＥＤ回路基板２５と、ＬＥＤ回路基板２５に実装されるＬＥＤパッケージ２１と、ＬＥＤパッケージ２１を覆うとともにＬＥＤ回路基板２５に固定されるＬＥＤパッケージカバー２３とを有する。また、第１ストッパ７１、第２ストッパ７２は、ＬＥＤパッケージカバー２３に設けられている。
【００３３】
なお、本発明の照明器具は、前述した実施形態に限定されるものではなく適宜変更、改良等が可能である。
例えば、前記実施形態で使用した照明器具、造営材、器具本体、ＬＥＤパッケージ、電源部、ＬＥＤパッケージカバー、光源部、ＬＥＤ回路基板、透光性カバー、第１端部カバー、第２端部カバー、本体部、爪部、第１ストッパおよび第２ストッパ等の形状や構成は例示したものに限定するものではなく適宜変更が可能である。
【符号の説明】
【００３４】
１０  照明器具
１２  造営材
２０  器具本体
２０Ａ  器具本体の第１長手方向端部（長手方向端部）
２０Ｂ  器具本体の第２長手方向端部（長手方向端部）
２１  ＬＥＤパッケージ
２２  電源部
２３  ＬＥＤパッケージカバー
２４  光源部
２５  ＬＥＤ回路基板
２６  透光性カバー
２６Ａ  透光性カバーの第１長手方向端部（長手方向端部）
２６Ｂ  透光性カバーの第２長手方向端部（長手方向端部）
２８  第１端部カバー（端部カバー）
２９  第２端部カバー（端部カバー）
６１  本体部
６２  爪部
６２Ａ  爪部の第１長手方向端面（長手方向端面）
６２Ｂ  爪部の第２長手方向端面（長手方向端面）
７１  第１ストッパ（ストッパ）
７２  第２ストッパ（ストッパ）
【図１】
0006315425.tif 000002
【図２】
0006315425.tif 000003
【図３】
0006315425.tif 000004
【図４】
0006315425.tif 000005
【図５】
0006315425.tif 000006
【図６】
0006315425.tif 000007